(57)【要約】【課題】動作時の発熱を抑えつつ小型化が可能なハイブリッドビデオカメラを提供すること。【解決手段】被写体を撮影して画像データを生成するカメラブロック２０と、ハードディスクに対して画像データを記録再生するハードディスクドライブ１５と、光ディスクに対して画像データを記録再生する光ディスクドライブ１６と、これらの動作を制御する制御部７とを備える。撮影モードでは、カメラブロック２０からの撮影データをハードディスクドライブ１５にのみ記録させ、光ディスクドライブ１６を用いる再生または編集モードでは、カメラブロック２０を最小の消費電力で待機するスリープモードに切り替える。【選択図】図１
2008252269.tif 000002
【特許請求の範囲】
【請求項１】
被写体を撮影し、撮影した画像データを少なくとも２種類の記録媒体に記録可能なハイブリッドビデオカメラにおいて、
被写体を撮影して画像データを生成するカメラ部と、
第１の記録媒体に対して画像データを記録再生する第１の記録部と、
第２の記録媒体に対して画像データを記録再生する第２の記録部と、
上記カメラ部と、上記第１の記録部と、上記第２の記録部の動作を制御する制御部とを備え、
上記第２の記録部は、上記第１の記録部よりも記録再生時の消費電力が大きい場合、
上記制御部は、撮影モードでは、上記カメラ部からの撮影データを上記第１の記録部にのみ記録させ、
記録した画像データの再生または編集モードでは、上記カメラ部の動作を停止させることを特徴とするハイブリッドビデオカメラ。
【請求項２】
被写体を撮影し、撮影した画像データを少なくとも２種類の記録媒体に記録可能なハイブリッドビデオカメラにおいて、
被写体を撮影して画像データを生成するカメラ部と、
第１の記録媒体に対して画像データを記録再生する第１の記録部と、
第２の記録媒体に対して画像データを記録再生する第２の記録部と、
上記カメラ部と、上記第１の記録部と、上記第２の記録部の動作を制御する制御部とを備え、
上記第２の記録部は、上記第１の記録部よりも記録再生時の消費電力が大きい場合、
上記制御部は、撮影モードでは、上記カメラ部からの撮影データを上記第２の記録部への記録を禁止し、
記録した画像データの再生または編集モードでは、上記カメラ部の動作を停止させることを特徴とするハイブリッドビデオカメラ。
【請求項３】
請求項１または２に記載のハイブリッドビデオカメラにおいて、
前記制御部は、再生または編集モードでは、前記カメラ部を最小の消費電力で待機するスリープモードに切り替えることを特徴とするハイブリッドビデオカメラ。
【請求項４】
請求項３に記載のハイブリッドビデオカメラにおいて、
前記制御部は、再生または編集モードにおいて前記第２の記録部を用いる場合、前記カメラ部をスリープモードに切り替えることを特徴とするハイブリッドビデオカメラ。
【請求項５】
請求項３に記載のハイブリッドビデオカメラにおいて、
前記制御部は、前記第１の記録部と前記第２の記録部との間で画像データをダビングする場合、前記カメラ部をスリープモードに切り替えることを特徴とするハイブリッドビデオカメラ。
【請求項６】
請求項５に記載のハイブリッドビデオカメラにおいて、
前記制御部は、前記第１の記録部に用いる第１の記録媒体の残容量が不足している場合、前記カメラ部をスリープモードに切り替え、前記第１の記録部から前記第２の記録部へ画像データをダビングすることを特徴とするハイブリッドビデオカメラ。
【請求項７】
請求項１ないし６のいずれか１項に記載のハイブリッドビデオカメラにおいて、
前記第１の記録媒体はハードディスクであって、前記第２の記録媒体は光ディスクであることを特徴とするハイブリッドビデオカメラ。
【請求項８】
請求項７に記載のハイブリッドビデオカメラにおいて、
前記第２の記録媒体はブルーレイ光ディスクであることを特徴とするハイブリッドビデオカメラ。
【請求項９】
被写体を撮影し、撮影した画像データをハードディスクと光ディスクに記録可能なハイブリッドビデオカメラにおいて、
被写体を撮影して画像データを生成するカメラ部と、
ハードディスクに対して画像データを記録再生するハードディスクドライブと、
光ディスクに対して画像データを記録再生する光ディスクドライブと、
上記カメラ部と、上記ハードディスクドライブと、上記光ディスクドライブの動作を制御する制御部とを備え、
該制御部は、撮影モードでは、上記カメラ部からの撮影データを上記ハードディスクドライブにのみ記録させ、
上記光ディスクドライブを用いる再生または編集モードでは、上記カメラ部を最小の消費電力で待機するスリープモードに切り替えることを特徴とするハイブリッドビデオカメラ。
【請求項１０】
被写体を撮影し、撮影した画像データをハードディスクと光ディスクに記録可能なハイブリッドビデオカメラにおいて、
被写体を撮影して画像データを生成するカメラ部と、
ハードディスクに対して画像データを記録再生するハードディスクドライブと、
光ディスクに対して画像データを記録再生する光ディスクドライブと、
上記カメラ部と、上記ハードディスクドライブと、上記光ディスクドライブの動作を制御する制御部とを備え、
該制御部は、撮影モードでは、上記カメラ部からの撮影データを上記光ディスクドライブへの記録を禁止し、
上記光ディスクドライブを用いる再生または編集モードでは、上記カメラ部を最小の消費電力で待機するスリープモードに切り替えることを特徴とするハイブリッドビデオカメラ。
【発明の詳細な説明】
【技術分野】
【０００１】
本発明は、被写体を撮影し、撮影した画像データを異なる２種類以上の記録媒体に記録するハイブリッドビデオカメラに関するものである。
【背景技術】
【０００２】
近年、家庭用ビデオカメラとして、記録媒体として光ディスク（ＤＶＤ）を搭載したＤＶＤカメラやハードディスクを搭載したＨＤＤカメラが製品化され、注目されている。ＤＶＤカメラは取り外し可能なＤＶＤ媒体なので、記録した画像データをそのままディスクとして保存できるメリットがある。ＨＤＤカメラは大容量媒体なので、長時間の記録が可能である。さらに、両者のメリットを取り入れ、ＤＶＤとＨＤＤの両方の媒体を搭載したカメラ（以下、ＤＶＤ／ＨＤＤハイブリッドカメラと呼ぶ）も発表されている。
【０００３】
ＤＶＤ／ＨＤＤハイブリッドカメラでは、本来、撮影した画像データをＤＶＤとＨＤＤの所望の媒体に（あるいは両方の媒体に）記録できることを前提としている。しかしながら、ハイブリッドカメラはバッテリー駆動で使用されるため、消費電力の低減が課題とされてきた。その対策として、特許文献１には、消費電力の異なる少なくとも２種類の外部記録媒体が装着されるデジタルカメラにおいて、動画像を記録するとき消費電力の小さい方の外部記録媒体に動画像の記録を行い、該外部記録媒体の記録データが所定容量になった後に消費電力の大きい方の外部記録媒体に動画像の記録を行うことが記載される。さらに、消費電力の小さい方の外部記録媒体に記録された動画像のデータを撮影動作停止後に消費電力の大きい方の外部記録媒体に移動させることも記載される。
【０００４】
また特許文献２には、装置がバッテリーで駆動している場合、第１の記録媒体（ＨＤＤ）にて記録を行っているときには、第２の記録媒体（ＤＶＤ）のドライブへの電源供給を停止させ、あるいはその逆に、第２の記録媒体のドライブで記録を行っているときには、第１の記録媒体のドライブへの電源供給を停止させることが記載される。
【０００５】
【特許文献１】特開２００４−３４９８１０号公報
【特許文献２】特開２００６−２８６０３４号公報
【発明の開示】
【発明が解決しようとする課題】
【０００６】
ＤＶＤ／ＨＤＤハイブリッドカメラにおいて、ＤＶＤドライブはレーザー駆動部やモーター制御部等を含み、ＨＤＤドライブや半導体メモリ等の他の記録装置と比較すると、回路規模が大きく消費電力が大きい傾向にある。特に、大容量光ディスクであるＢＤ（Ｂｌｕ−ｒａｙ  Ｄｉｓｃ）では青紫レーザーを使用するため、消費電力はさらに増大する。消費電力の大部分は熱に変換され、ＤＶＤドライブのみならず、カメラ内部の温度上昇をもたらす。その結果、装置内部の各種電気部品（ＩＣ等）の動作保証温度を超え、故障や動作不良の原因となる恐れがある。
【０００７】
温度上昇を低減するための冷却法として、フィンやファンなどの放熱用部品を用いて装置内部の熱を外部へ逃す方法や、装置の表面積を大きくとることで放熱量を増大させる方法が有効であるものの、いずれの方法においても、放熱用部品の増加のためカメラ装置の大型化を招いてしまうという問題がある。
【０００８】
上記特許文献１，２では、バッテリー駆動時の電力消費量の低減を狙いとしているが、装置の発熱への配慮は十分とは言えない。なぜなら、上記特許文献１，２は消費電力の積算値を抑えてバッテリーの消耗を防ぐ効果はあるが、撮影記録動作と編集・ダビング動作を並行して行うことを許している。そのため、並行動作の期間では消費電力が急増して発熱量が過大となる恐れがある。
【０００９】
本発明の目的は、動作時の発熱を抑えつつ小型化が可能なハイブリッドビデオカメラを提供することである。
【課題を解決するための手段】
【００１０】
本発明のハイブリッドビデオカメラは、被写体を撮影して画像データを生成するカメラ部と、第１の記録媒体に対して画像データを記録再生する第１の記録部と、第２の記録媒体に対して画像データを記録再生する第２の記録部と、カメラ部と第１の記録部と第２の記録部の動作を制御する制御部とを備える。第２の記録部は第１の記録部よりも記録再生時の消費電力が大きい場合、制御部は、撮影モードでは、カメラ部からの撮影データを第１の記録部にのみ記録させ、記録した画像データの再生または編集モードでは、カメラ部の動作を停止させる。
【００１１】
また本発明のハイブリッドビデオカメラは、被写体を撮影して画像データを生成するカメラ部と、ハードディスクに対して画像データを記録再生するハードディスクドライブと、光ディスクに対して画像データを記録再生する光ディスクドライブと、カメラ部とハードディスクドライブと光ディスクドライブの動作を制御する制御部とを備える。制御部は、撮影モードでは、カメラ部からの撮影データをハードディスクドライブにのみ記録させ、光ディスクドライブを用いる再生または編集モードでは、カメラ部を最小の消費電力で待機するスリープモードに切り替える。
【発明の効果】
【００１２】
本発明によれば、発熱による故障や動作不良がなく小型化が可能なハイブリッドビデオカメラを提供できる。
【発明を実施するための最良の形態】
【００１３】
以下、本発明の実施の形態を図面を用いて説明する。
図１は、本発明にかかるハイブリッドビデオカメラの一実施例を示す構成図である。
撮影系では、被写体像をレンズ１によってＣＣＤなどの撮像素子２上に結像させ、撮像素子２により画像信号を得て、これをＡＤコンバータ３によってデジタル信号に変換する。撮影の際、レンズ制御部５は、被写体のフォーカスや光量を調節し、手振れセンサ６は、カメラ本体の揺れを検出する。画像信号処理部（ＤＳＰ）４は、画像信号を記録のための画像データに変換処理する。このうち、撮像素子２、Ａ／Ｄコンバータ３、画像信号処理部（ＤＳＰ）４、レンズ制御部５は、撮影時に動作するカメラブロック２０であり、非動作時には最小限の電力供給を行うスリープモードに切り替え可能となっている。一方、マイクロフォン１３で取得した音声信号は、アンプ１２、Ａ／Ｄ・Ｄ／Ａコンバータ１１を経て、デジタル音声データとする。圧縮伸長部９は、画像データと音声データをＭＰＥＧなどの所定の方式で圧縮し、記録系への記録信号とする。
【００１４】
記録系では、異なる記録媒体を搭載する２系統の記録部（ドライブ）を備える。第１の記録部は、消費電力が少ない例えばハードディスクドライブ（ＨＤＤ）１５であり、第２の記録部は、消費電力が多い例えばＤＶＤドライブ１６である。これらは、後述するように撮影時にデータを記録するドライブをＨＤＤ１５に制限する。なお、第１の記録媒体としては、半導体メモリ、第２の記録媒体としてはブルーレイ光ディスク（ＢＤ）やＨＤ  ＤＶＤ（Ｈｉｇｈ−Ｄｅｆｉｎｉｔｉｏｎ  ＤＶＤ）を用いる場合も同様である。
【００１５】
再生系では、ＨＤＤ１５やＤＶＤドライブ１６から再生されたデータを、圧縮伸長部９にて伸長し、画像データは、液晶ディスプレイ（ＬＣＤ）や電子ビューファインダ（ＥＶＦ）などの表示部１０に出力する。音声データは、Ａ／Ｄ・Ｄ／Ａコンバータ１１にてアナログ信号に変換して、スピーカ１４から出力する。
【００１６】
システム制御部７は、カメラの各動作モードに対してカメラ内の各部を制御する。すなわち、操作部８からの指示に対して、撮影系、記録系の動作を制限し、装置内の消費電力（発熱）を抑えるように制御する。
【００１７】
操作部８は、ユーザが操作指示するために、以下のスイッチを有する。
・電源スイッチ：カメラ装置全体のＯＮ／ＯＦＦ。
・ＲＥＣスイッチ：カメラ部が撮影待機状態の時にスイッチを押すことにより（ＯＮ状態）、撮影した画像データを所定の記録部にて記録を開始させる。再度スイッチを押すと（ＯＦＦ状態）、記録を停止させる。
・ＨＤＤナビゲーションスイッチ：スイッチを押すことにより（ＯＮ状態）、ＨＤＤ１５の再生・編集画面に移行する。具体的にはＨＤＤ１５内に記録されている撮影シーンをサムネイルなどで表示部１０に一覧表示し、シーンの削除や分割、ＨＤＤ１５からＤＶＤドライブ１６へのダビング等の編集作業ができるモードに遷移する。スイッチを再度押すと（ＯＦＦ状態）、撮影待機状態へ戻る。
・ＤＶＤナビゲーションスイッチ：スイッチを押すことにより（ＯＮ状態）、ＤＶＤ１６の再生・編集画面に移行する。具体的にはＤＶＤドライブ１６内に記録されている撮影シーンを表示部１０に一覧表示し、シーンの削除や分割、ＤＶＤ１６からＨＤＤ１５へのダビング等の編集作業ができるモードに遷移する。スイッチを再度押すと（ＯＦＦ状態）、撮影待機状態へ戻る。
・その他スイッチ：テレ／ワイドの画角調整用スイッチ、スピーカ音量の操作スイッチ、カメラの設定を行う為のメニューを表示／消去する為のメニュースイッチ、カーソルを移動させる十字キーなどを含む。
【００１８】
図２は、本実施例のハイブリッドビデオカメラにおける各動作モードと、各モードでの消費電力の一例を示す図である。記録系を除くシステム全体（カメラブロックを含む）の消費電力は４．９Ｗである。これを、撮影処理を停止し、カメラブロックを最小の消費電力で待機するスリープモードに切り替えると、２．５Ｗに低減する。記録系では、ＨＤＤにて記録・再生時の最大消費電力は０．８Ｗである。ＤＶＤ（ＢＤ）ドライブにて記録・再生時の最大消費電力は１．９Ｗである。
【００１９】
撮影モードとして、従来はＨＤＤに記録するモード（ａ１）とＤＶＤに記録するモード（ａ２）の両方を有していたが、本実施例では、ＤＶＤに記録するモード（ａ２）を禁止して、ＨＤＤに記録するモード（ａ１）のみを許可する。その結果、合計消費電力は６．８Ｗから５．７Ｗに低減する。
【００２０】
ＤＶＤ／ＨＤＤハイブリッドカメラの場合、周囲温度０〜４０℃状況下での動作保証をしており、また、ＩＣ等の電気部品の周囲動作保証温度は最大８５℃が一般的であるので、製品の内部温度上昇は４５℃以内に抑える必要がある。内部温度上昇と製品の表面積との間には次のような関係がある。
表面積＝消費電力／（熱通過率×内部温度上昇）
上式の熱通過率とは製品外壁を形成するモールド材の熱通過率であり、代表的な値は４Ｗ／ｍ２℃である。従って、上式からカメラ装置の表面積は従来方式では０．０３８ｍ２（消費電力＝６．８Ｗ時）確保する必要があるが、実施例では０．０３２ｍ２（消費電力＝５．７Ｗ時）であるので、装置の小型化に貢献することができる。
【００２１】
また、ＤＶＤ／ＨＤＤハイブリッドカメラの動向として、次のことが言える。
・カメラ部については、ハイビジョン等の高画素化による処理データの増大で消費電力及び発生熱量が増している。
・ＤＶＤ部についても、ＢＤ等の大容量化による記録データや記録パワーの増大で消費電力及び発生熱量が増している。
・ＨＤＤ部については、従来よりＰＣ等で大容量データを扱っており、撮影データ程度なら問題とならない。
これらを考慮すれば、カメラ部とＤＶＤ部の同時動作を禁止することが、消費電力及び発生熱量の低減対策として最も効果的である。
【００２２】
図３は、本実施例のハイブリッドビデオカメラにおける動作の制御を示すフローチャートである。
Ｓ１０１で電源スイッチをＯＮにすると、Ｓ１０２でＨＤＤの残容量を調べ、所定の容量があるかどうか判定する。残容量が十分であればＳ１０３以降の撮影動作に進むが、十分でない場合はＳ１０８へ進み、ＨＤＤからＤＶＤへのダビング動作を行い、ＨＤＤに新たに記録するための領域を確保する。
【００２３】
Ｓ１０３では、カメラブロック２０に電力を供給し撮影待機状態にする。この状態は、撮像素子２、Ａ／Ｄコンバータ３、画像信号処理部（ＤＳＰ）４、レンズ制御部５を動作させ、画像信号処理部（ＤＳＰ）４からの画像信号を表示部１０にスルーで出力させる状態である。そして、ユーザからＨＤＤ１５へ記録する指示を待機している状態である。
【００２４】
Ｓ１０４では、操作部８にてユーザの操作入力を受け付ける。ユーザ指示が撮影モード（ＲＥＣスイッチがＯＮ）であればＳ１０５へ進み、再生・編集モード（ＨＤＤナビゲーションスイッチ、またはＤＶＤナビゲーションスイッチがＯＮ）であればＳ１０７へ進む。
【００２５】
Ｓ１０５では、カメラブロック２０からの撮影信号を圧縮伸長部９にて画像データに圧縮して、撮影シーンをＨＤＤ１５に記録する。この場合、ＤＶＤ１６への記録を禁止する。Ｓ１０６でユーザから撮影停止の指示があれば（ＲＥＣスイッチがＯＦＦ）、ＨＤＤ１５への記録を停止する。
【００２６】
Ｓ１０７では、記録済みデータの再生・編集動作を行うが、ＨＤＤ１５とＤＶＤ１６のいずれのドライブを動作させるかを選択する。ＨＤＤであればＳ１０８へ進み、ＤＶＤであればＳ１１２へ進む。
【００２７】
Ｓ１０８では、カメラブロック２０を撮影待機状態からスリープモードに切り替える。スリープモードとは、カメラブロック２０の信号処理動作を停止させ、メモリ保持などのための最小限の消費電力で待機する状態である。
【００２８】
Ｓ１０９では、ＨＤＤ１５内に記録されている撮影シーンを表示部１０に一覧表示する。ユーザはこれから所望のシーンを選択して視聴する。あるいは、特定の撮影シーンの削除や分割などの編集を行う。さらにＳ１１０で、ユーザがダビング操作を指示すると、Ｓ１１１ではＨＤＤ１５からＤＶＤ１６へのダビング動作を行う。すなわち、ＨＤＤ１５からユーザが指定したシーンを読み出し、ＤＶＤ１６へコピーする。そして、ＨＤＤ１５内の読み出したシーンを消去して、空き領域を作る。
【００２９】
なおＳ１０９のＨＤＤ１５の再生・編集において、ＤＶＤへのダビング操作（Ｓ１１０）を行わない場合にはＤＶＤ１６は動作しない。ＤＶＤ１６が動作しなければ消費電力は少ないので、カメラブロック２０を撮影待機状態からスリープモードに切り替えなくともよい。その場合、Ｓ１０８をＳ１１０の後に実行すればよい。
【００３０】
一方Ｓ１１２では、カメラブロック２０を撮影待機状態からスリープモードに切り替える。
Ｓ１１３では、ＤＶＤ１６内に記録されている撮影シーンを表示部１０に一覧表示する。ユーザはこれを所望のシーンを選択して視聴する。あるいは、特定の撮影シーンの削除や分割などの編集を行う。さらにＳ１１４で、ユーザがダビング操作を指示すると、Ｓ１１５ではＤＶＤ１６からＨＤＤ１５へのダビング動作を行う。すなわち、ＤＶＤ１６からユーザが指定したシーンを読み出し、ＨＤＤ１５へコピーする。そして、必要に応じてＤＶＤ１６内の読み出したシーンを消去して、空き領域を作る。
【００３１】
本実施例では、上記Ｓ１０５において、撮影モードにおいて記録するドライブをＨＤＤ１５に限定し、ＤＶＤ１６への記録を禁止する。また、上記Ｓ１０８とＳ１１２において、再生・編集モードではカメラブロック２０をスリープモードに切り替える。これらの制御により、カメラブロック２０とＤＶＤ１６が同時に動作することがなく、瞬時消費電力すなわち発熱量が過大になることを防止できる。
【００３２】
上記実施例では、消費電力の異なる記録媒体としてＨＤＤとＤＶＤを用いる場合を説明したが、本発明はこれ以外の任意の記録媒体の組合せに適用できる。また、３種類以上の記録媒体を用いる場合にも、消費電力の大きさに応じてカメラブロックとドライブの動作を適宜制限することで、同様の効果を得ることができる。
【図面の簡単な説明】
【００３３】
【図１】本発明にかかるハイブリッドビデオカメラの一実施例を示す構成図。
【図２】本実施例における各動作モードと各モードでの消費電力の一例を示す図。
【図３】本実施例における動作の制御を示すフローチャート。
【符号の説明】
【００３４】
１…レンズ
２…撮像素子
３…ＡＤコンバータ
４…画像信号処理部（ＤＳＰ）
５…レンズ制御部
６…手振れセンサ
７…システム制御部
８…操作部
９…圧縮伸長部
１０…表示部
１５…第１の記録部（ＨＤＤ）
１６…第２の記録部（ＤＶＤ）
２０…カメラブロック。
【図１】
2008252269.tif 000003
【図２】
2008252269.tif 000004
【図３】
2008252269.tif 000005